(57)【要約】【課題】  発光素子の点灯率、およびディマー設定の条件によって発生するシャドーイングを、実用上において問題のないレベルに低減させることができる発光表示パネルの駆動装置および駆動方法を提供すること。【解決手段】  アナログ映像信号は駆動制御回路１１およびＡ／Ｄ変換回路１２に供給され、Ａ／Ｄ変換回路１２において１画素毎に対応した画像データに変換されて画像メモリ１３に書き込まれる。画像メモリ１３からは１走査分毎に画像データが読み出され、駆動制御回路１１は、発光制御させるべきＥＬ素子の割合（１走査毎の発光素子の点灯率）を取得する。前記点灯率およびディマー設定データに基づいてルックアップテーブル１４より点灯駆動データが読み出され、これに基づいて点灯させるべき発光素子の駆動電流が決定される。点灯率およびディマー設定に対応した点灯駆動データにより、発光素子の発光輝度が補正されることになり、これによりシャドーイングの発生を効果的に抑制させることができる。【選択図】  図６
2006189645.tif 000002
【特許請求の範囲】
【請求項１】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各々の走査線Ｎ（Ｎ＝１〜ｎ）に接続された前記発光素子のうち、発光制御させるべき発光素子の割合ＰＮを得る点灯率取得手段が具備され、
前記点灯率取得手段により得られる前記割合ＰＮに基づいて、走査線Ｎに接続されている発光制御させるべき前記発光素子に対して供給する発光駆動電流値を制御することを特徴とする発光表示パネルの駆動装置。
【請求項２】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各々の走査線Ｎ（Ｎ＝１〜ｎ）に接続された前記発光素子のうち、発光制御させるべき発光素子の割合ＰＮを得る点灯率取得手段が具備され、
前記点灯率取得手段により得られる前記割合ＰＮに基づいて、走査線Ｎに接続されている発光制御させるべき前記発光素子に対する発光駆動電流を供給する期間を制御することを特徴とする発光表示パネルの駆動装置。
【請求項３】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各々の走査線Ｎ（Ｎ＝１〜ｎ）に接続された前記発光素子のうち、発光制御させるべき発光素子の割合ＰＮを得る点灯率取得手段が具備され、
前記点灯率取得手段により得られる前記割合ＰＮに基づいて、走査線Ｎに接続されている発光制御させるべき前記発光素子に対して供給する発光駆動電流値および発光駆動電流を供給する期間を制御することを特徴とする発光表示パネルの駆動装置。
【請求項４】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各々の走査線Ｎ（Ｎ＝１〜ｎ）に接続された前記発光素子のうち、発光制御させるべき発光素子の割合ＰＮを得る点灯率取得手段と、前記表示パネルをＤ（Ｄ＝１〜ｄ）段階にディマー表示させるディマー制御手段とが具備され、
前記点灯率取得手段により得られる前記割合ＰＮと、前記ディマー制御手段におけるディマー制御の段階Ｄとに基づいて、走査線Ｎに接続されている発光制御させるべき前記発光素子に対して供給する発光駆動電流値を制御することを特徴とする発光表示パネルの駆動装置。
【請求項５】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各々の走査線Ｎ（Ｎ＝１〜ｎ）に接続された前記発光素子のうち、発光制御させるべき発光素子の割合ＰＮを得る点灯率取得手段と、前記表示パネルをＤ（Ｄ＝１〜ｄ）段階にディマー表示させるディマー制御手段とが具備され、
前記点灯率取得手段により得られる前記割合ＰＮと、前記ディマー制御手段におけるディマー制御の段階Ｄとに基づいて、走査線Ｎに接続されている発光制御させるべき前記発光素子に対する発光駆動電流を供給する期間を制御することを特徴とする発光表示パネルの駆動装置。
【請求項６】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、
前記各々の走査線Ｎ（Ｎ＝１〜ｎ）に接続された前記発光素子のうち、発光制御させるべき発光素子の割合ＰＮを得る点灯率取得手段と、前記表示パネルをＤ（Ｄ＝１〜ｄ）段階にディマー表示させるディマー制御手段とが具備され、
前記点灯率取得手段により得られる前記割合ＰＮと、前記ディマー制御手段におけるディマー制御の段階Ｄとに基づいて、走査線Ｎに接続されている発光制御させるべき前記発光素子に対して供給する発光駆動電流値および発光駆動電流を供給する期間を制御することを特徴とする発光表示パネルの駆動装置。
【請求項７】
前記発光素子に対して供給する発光駆動電流値の制御が、カレントミラー回路による電流供給手段により実行されるように構成され、当該カレントミラー回路における基準電流値を制御することで、前記発光駆動電流値が制御されるように構成されていることを特徴とする請求項１、請求項３、請求項４、請求項６のいずれか１項に記載された発光表示パネルの駆動装置。
【請求項８】
前記走査線Ｎをそれぞれ走査する各走査期間内に、各々の走査線Ｎに対応して接続された前記発光素子の発光輝度を補正する輝度補正期間が設定されていることを特徴とする請求項２、請求項３、請求項５、請求項６のいずれか１項に記載された発光表示パネルの駆動装置。
【請求項９】
前記発光素子は、対向する電極間に一層以上からなる有機発光機能層を有する有機ＥＬ発光素子であることを特徴とする請求項１ないし請求項８のいずれか１項に記載された発光表示パネルの駆動装置。
【請求項１０】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各々の走査線Ｎ（Ｎ＝１〜ｎ）に接続された前記発光素子のうち、発光制御させるべき発光素子の割合ＰＮを得る工程と、
前記工程により得られる前記割合ＰＮに基づいて、走査線Ｎに接続されている発光制御させるべき前記発光素子に対して供給する発光駆動電流値を制御することで、当該発光素子を発光駆動させる工程と、
を実行することを特徴とする発光表示パネルの駆動方法。
【請求項１１】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各々の走査線Ｎ（Ｎ＝１〜ｎ）に接続された前記発光素子のうち、発光制御させるべき発光素子の割合ＰＮを得る工程と、
前記工程により得られる前記割合ＰＮに基づいて、走査線Ｎに接続されている発光制御させるべき前記発光素子に対する発光駆動電流を供給する期間を制御することで、当該発光素子を発光駆動させる工程と、
を実行することを特徴とする発光表示パネルの駆動方法。
【請求項１２】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各々の走査線Ｎ（Ｎ＝１〜ｎ）に接続された前記発光素子のうち、発光制御させるべき発光素子の割合ＰＮを得る工程と、
前記工程により得られる前記割合ＰＮに基づいて、走査線Ｎに接続されている発光制御させるべき前記発光素子に対して供給する発光駆動電流値および発光駆動電流を供給する期間を制御することで、当該発光素子を発光駆動させる工程と、
を実行することを特徴とする発光表示パネルの駆動方法。
【請求項１３】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各々の走査線Ｎ（Ｎ＝１〜ｎ）に接続された前記発光素子のうち、発光制御させるべき発光素子の割合ＰＮと、前記表示パネルをＤ（Ｄ＝１〜ｄ）段階にディマー表示させるディマー制御のデータとを得る工程と、
前記工程により得られる前記割合ＰＮと、前記ディマー制御のデータとに基づいて、走査線Ｎに接続されている発光制御させるべき前記発光素子に対して供給する発光駆動電流値を制御することで、当該発光素子を発光駆動させる工程と、
を実行することを特徴とする発光表示パネルの駆動方法。
【請求項１４】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各々の走査線Ｎ（Ｎ＝１〜ｎ）に接続された前記発光素子のうち、発光制御させるべき発光素子の割合ＰＮと、前記表示パネルをＤ（Ｄ＝１〜ｄ）段階にディマー表示させるディマー制御のデータとを得る工程と、
前記工程により得られる前記割合ＰＮと、前記ディマー制御のデータとに基づいて、走査線Ｎに接続されている発光制御させるべき前記発光素子に対する発光駆動電流の供給する期間を制御することで、当該発光素子を発光駆動させる工程と、
を実行することを特徴とする発光表示パネルの駆動方法。
【請求項１５】
互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、
前記各々の走査線Ｎ（Ｎ＝１〜ｎ）に接続された前記発光素子のうち、発光制御させるべき発光素子の割合ＰＮと、前記表示パネルをＤ（Ｄ＝１〜ｄ）段階にディマー表示させるディマー制御のデータとを得る工程と、
前記工程により得られる前記割合ＰＮと、前記ディマー制御のデータとに基づいて、走査線Ｎに接続されている発光制御させるべき前記発光素子に対して供給する発光駆動電流値および発光駆動電流を供給する期間を制御することで、当該発光素子を発光駆動させる工程と、
を実行することを特徴とする発光表示パネルの駆動方法。
【発明の詳細な説明】
【技術分野】
【０００１】
この発明は、容量性の発光素子を用いたパッシブマトリクス型発光表示パネルに対して好適に採用することができる駆動装置および駆動方法に関し、特に前記発光素子の点灯率の変化に起因して生ずるシャドーイング（横クロストーク）の発生度合いを、実用上において問題のないレベルに低減させることができる発光表示パネルの駆動装置および駆動方法に関する。
【背景技術】
【０００２】
携帯電話機や携帯型情報端末機（ＰＤＡ）などの普及によって、高精細な画像表示機能を有し、薄型かつ低消費電力化を実現することができる表示パネルの需要が増大しており、従来より液晶表示パネルがその要求を満たす表示パネルとして多くの製品に採用されてきた。一方、昨今においては自発光型素子であるという特質を生かした有機ＥＬ（エレクトロ・ルミネッセンス）素子が実用化され、これが従来の液晶表示パネルに代わる次世代の表示パネルとして注目されている。これは素子の発光層に、良好な発光特性を期待することができる有機化合物を使用することによって、実用に耐え得る高効率化および長寿命化が進んだことも背景にある。
【０００３】
前記した有機ＥＬ素子は、基本的にはガラス等の透明基板上に、例えばＩＴＯによる透明電極（陽極）と発光機能層、およびアルミ合金などによる金属電極（陰極）とが順次積層されることで構成されている。そして、前記発光機能層は有機化合物による単一の発光層、あるいは有機正孔輸送層と発光層による二層構造、または有機正孔輸送層と発光層および有機電子輸送層からなる三層構造、さらには前記透明電極と正孔輸送層との間に正孔注入層を、また前記金属電極と電子輸送層との間に電子注入層を挿入した多層構造になされる場合もある。そして、前記発光機能層において発生する光は、前記透明電極および透明基板を介して外部に導出される。
【０００４】
前記した有機ＥＬ素子は、電気的にはダイオード特性を有する発光エレメントと、この発光エレメントに並列に結合する寄生容量成分とによる構成に置き換えることができ、有機ＥＬ素子は容量性の発光素子であるということが言える。この有機ＥＬ素子は、発光駆動電圧が印加されると、先ず当該素子の電気容量に相当する電荷が電極に変位電流として流れ込み蓄積される。続いて当該素子固有の一定の電圧（発光閾値電圧＝Ｖｔｈ）を越えると、一方の電極（ダイオード成分のアノード側）から発光機能層に向かって電流が流れはじめ、この電流に比例した強度で発光すると考えることができる。
【０００５】
一方、有機ＥＬ素子は電流・輝度特性が温度変化に対して安定しているのに対して、電圧・輝度特性が温度変化に対する依存性が高いこと、また、有機ＥＬ素子は過電流を受けた場合に劣化が激しく、発光寿命を短縮させるなどの理由により、一般的には定電流駆動がなされる。かかる有機ＥＬ素子を用いた表示パネルとして、素子をマトリクス状に配列したパッシブ駆動型表示パネルが、すでに一部において実用化されている。
【０００６】
図１には従来のパッシブマトリクス型表示パネルと、その駆動回路の一例が示されており、これは陰極線走査・陽極線ドライブの形態を示している。すなわち、ｍ本のデータ線（以下、これを陽極線とも言う。）Ａ１〜Ａｍが縦方向に配列され、ｎ本の走査線（以下、これを陰極線とも言う。）Ｋ１〜Ｋｎが横方向に配列され、各々の交差した部分（計ｍ×ｎ箇所）に、ダイオードおよびコンデンサのシンボルマークによる並列結合体で示した有機ＥＬ素子Ｅ１１〜Ｅｍｎが配置されて、表示パネル１を構成している。
【０００７】
そして、画素を構成する各ＥＬ素子Ｅ１１〜Ｅｍｎは、縦方向に沿う陽極線Ａ１〜Ａｍと横方向に沿う陰極線Ｋ１〜Ｋｎとの各交点位置に対応して、一端（ＥＬ素子の等価ダイオードにおけるアノード端子）が陽極線に、他端（ＥＬ素子の等価ダイオードにおけるカソード端子）が陰極線に接続されている。さらに、各陽極線Ａ１〜Ａｍはデータドライバとしての陽極線ドライブ回路２に接続され、各陰極線Ｋ１〜Ｋｎは走査ドライバとしての陰極線走査回路３に接続されてそれぞれ駆動される。
【０００８】
前記陽極線ドライブ回路２には、駆動電圧源ＶＨからの駆動電圧を利用して動作する点灯駆動電源としての定電流源Ｉ１〜Ｉｍ、および切り換え手段としてのドライブスイッチＳａ１〜Ｓａｍが備えられており、ドライブスイッチＳａ１〜Ｓａｍが、前記定電流源Ｉ１〜Ｉｍ側に接続されることにより、定電流源Ｉ１〜Ｉｍからの電流が、陰極線に対応して配置された個々のＥＬ素子Ｅ１１〜Ｅｍｎに対して駆動電流として供給されるように作用する。また、前記ドライブスイッチＳａ１〜Ｓａｍは、電圧源ＶＡＭからの電圧、もしくは非点灯駆動電源としての基準電位点（この実施の形態においては接地電位ＧＮＤ）が、陰極線に対応して配置された個々のＥＬ素子Ｅ１１〜Ｅｍｎに対して供給することができるように構成されている。
【０００９】
一方、前記陰極線走査回路３には、各陰極線Ｋ１〜Ｋｎに対応して切り換え手段としての走査スイッチＳｋ１〜Ｓｋｎが備えられ、主にクロストーク発光を防止するために用いられる逆バイアス電圧源ＶＭからの逆バイアス電圧、もしくは基準電位点としての接地電位ＧＮＤのうちのいずれか一方を、対応する陰極線に供給することができるように構成されている。
【００１０】
そして、前記した陽極線ドライブ回路２および陰極線走査回路３には、ＣＰＵ等を含む発光制御回路４よりコントロールバスを介してそれぞれに制御信号が供給され、表示すべき映像信号に基づいて、前記走査スイッチＳｋ１〜ＳｋｎおよびドライブスイッチＳａ１〜Ｓａｍの切り換え操作がなされる。これにより、映像信号に基づいて陰極線を所定の周期で接地電位に設定しながら所望の陽極線に対して定電流源Ｉ１〜Ｉｍが接続され、前記各ＥＬ素子Ｅ１１〜Ｅｍｎが選択的に発光されることで、表示パネル１上に前記映像信号に基づく画像が表示される。
【００１１】
なお、図１に示す状態は、第２の陰極線Ｋ２が接地電位に設定されて走査状態になされ、この時、非走査状態の各陰極線Ｋ１，Ｋ３〜Ｋｎには、前記した逆バイアス電圧源ＶＭからの逆バイアス電圧が印加される。ここで、走査発光状態におけるＥＬ素子の順方向電圧をＶｆとした時、〔（順方向電圧Ｖｆ）−（逆バイアス電圧ＶＭ）〕＜（発光閾値電圧Ｖｔｈ）の関係となるように各電位設定がなされており、したがってドライブされている陽極線と走査選択がなされていない陰極線との交点に接続された各ＥＬ素子がクロストーク発光するのを防止するように作用する。
【００１２】
ところで、表示パネル１に配列された各有機ＥＬ素子は前記したように個々に寄生容量を有しており、これが陽極線と陰極線との交点位置にマトリクス状に配列されているがため、例えば１つの陽極線に数十個のＥＬ素子が接続されている場合を例にすると、当該陽極線から見て各寄生容量の数百倍もしくはそれ以上の合成容量が負荷容量として陽極線に接続されることになる。この合成容量はマトリクスのサイズが大きくなるにしたがって顕著に増大する。
【００１３】
したがって、ＥＬ素子の点灯走査期間の初めにおいては、陽極線を介した前記定電流源Ｉ１〜Ｉｍからの電流は前記した合成負荷容量を充電するために費やされ、ＥＬ素子の発光閾値電圧（Ｖｔｈ）を十分に超えるまでに前記負荷容量を充電するには時間遅れが発生する。それ故、ＥＬ素子の発光の立ち上がりが遅れる（緩慢になる）という問題が発生する。特に、前記したようにＥＬ素子の駆動源として定電流源Ｉ１〜Ｉｍを用いた場合においては、定電流源は動作原理上、ハイインピーダンス出力回路であるがため、電流が制限されてＥＬ素子の発光立ち上がりの遅れが著しくなる。
【００１４】
これは、ＥＬ素子の点灯時間率を低下させることとなり、したがってＥＬ素子の実質的な発光輝度を低下させるという問題を抱えることになる。そこで、前記した寄生容量によるＥＬ素子の発光立ち上がりの遅れを無くすために図１に示す構成においては、逆バイアス電圧ＶＭを利用して点灯対象のＥＬ素子に充電を実行する動作がなされる。
【００１５】
図２は、点灯対象となるＥＬ素子の寄生容量に充電されている電荷量がゼロになされるリセット期間を含むＥＬ素子の点灯駆動動作を示している。なお、図２（Ａ）は走査同期信号を示しており、この例においては前記走査同期信号に同期して、リセット期間および定電流駆動期間が設定される。
【００１６】
そして、図２（Ｂ）および（Ｃ）は、前記各期間における陽極ドライバ（陽極線ドライブ回路）２に接続された陽極線における点灯ラインおよび非点灯ラインに印加される電位を示している。また、図２（Ｄ）および（Ｅ）は、前記各期間における陰極ドライバ（陰極線走査回路）３に接続された陰極線における走査ラインおよび非走査ラインに印加される電位を示している。
【００１７】
図２に示すリセット期間においては、陽極ドライバ２に備えられた切り換え手段としての前記ドライブスイッチＳａ１〜Ｓａｍは、点灯制御させるＥＬ素子に対応する陽極線（点灯ライン）に対して、図２（Ｂ）に示すように電圧源ＶＡＭからの電位を供給する。また、非点灯になされるＥＬ素子に対応する陽極線（非点灯ライン）には、図２（Ｃ）に示すように回路の基準電位としての接地電位ＧＮＤを供給するように制御される。
【００１８】
一方、前記リセット期間における陰極ドライバ３は、これに備えられた切り換え手段としての走査スイッチＳｋ１〜Ｓｋｎによって、走査対象とする陰極線（走査ライン）および非走査対象とする陰極線（非走査ライン）に対して図２（Ｄ）および（Ｅ）に示すように、それぞれ逆バイアス電圧ＶＭを印加するようになされる。
【００１９】
また、ＥＬ素子の点灯期間である定電流駆動期間においては、前記ドライブスイッチＳａ１〜Ｓａｍによって、点灯させるＥＬ素子に対応する陽極線（点灯ライン）には、図２（Ｂ）に示すように定電流源Ｉ１〜Ｉｍより定電流が供給される。また、非点灯になされるＥＬ素子に対応する陽極線（非点灯ライン）には、図２（Ｃ）に示すように回路の基準電位としての接地電位ＧＮＤが設定される。
【００２０】
一方、前記定電流駆動期間における陰極ドライバ３は、これに備えられた前記走査スイッチＳｋ１〜Ｓｋｎによって、走査対象とする陰極線（走査ライン）を図２（Ｄ）に示すように接地電位ＧＮＤに設定し、非走査対象とする陰極線（非走査ライン）に対しては、図２（Ｅ）に示すように逆バイアス電圧ＶＭを印加するように制御される。
【００２１】
前記した定電流駆動期間への移行直後においては、前記点灯ラインに接続されている全てのＥＬ素子の寄生容量の充電量はゼロになされている。そのため、点灯対象のＥＬ素子には逆バイアス電圧源ＶＭから、走査されていないＥＬ素子を介して過渡的に電流が流れ込み、点灯対象のＥＬ素子の寄生容量への充電が急速に行われる。この結果、点灯対象のＥＬ素子の発光の立上がりは比較的迅速に行われる。
【００２２】
前記したように、点灯駆動させようとするＥＬ素子に対して、逆バイアス電圧を利用してプリチャージさせるパッシブ駆動型表示装置は、次に示す特許文献１などに開示されている。
【特許文献１】特開平９−２３２０７４号公報
【発明の開示】
【発明が解決しようとする課題】
【００２３】
ところで、前記した構成のパッシブ駆動型表示装置においては、ＥＬ素子の点灯率によっては、点灯率の異なるそれぞれの走査線に対応する各ＥＬ素子の間に、発光輝度のばらつきが生ずるいわゆるシャドーイング（横クロストーク）が発生することが知られている。図３および図４は、前記したシャドーイングが発生する状況を説明するものである。
【００２４】
図３（Ａ）および（Ｂ）は、前記した図２に示すタイミングチャートにしたがうリセット期間におけるＥＬ素子への電圧印加状態および定電流駆動期間におけるＥＬ素子への電圧印加状態をそれぞれ示したものであり、この図３においてはＥＬ素子の点灯率が１００％の場合を例示している。なお、図３においては紙面の都合で、第１と第２および第ｍの陽極線、第１と第２および第ｎの陰極線に対応する各ＥＬ素子への電位の供給状態を示している。
【００２５】
図３（Ａ）に示すように、リセット期間においては走査スイッチＳｋ１〜Ｓｋｎは、すべてＶＭ側に接続され、各走査線Ｋ１〜Ｋｎには逆バイアス電圧ＶＭが印加される。またドライブスイッチＳａ１〜ＳａｍはすべてＶＡＭ側に接続される。ここで、前記逆バイアス電圧ＶＭと、電圧源ＶＡＭとは、ＶＭ＝ＶＡＭの関係になされている。したがって図３（Ａ）に示すリセット期間においては、すべてのＥＬ素子の両端の電位差は無くなり、ＥＬ素子の寄生容量に充電されている電荷量はゼロとなる。
【００２６】
一方、定電流駆動期間においては図３（Ｂ）に示すように、走査点灯させるべき例えば第１の走査線Ｋ１を走査スイッチＳｋ１を介して接地電位ＧＮＤに設定し、他の走査線には走査スイッチＳｋ２〜Ｓｋｎを介して引き続き逆バイアス電圧ＶＭを印加するようになされる。また、この時ドライブスイッチＳａ１〜Ｓａｍはすべて定電流源Ｉ１〜Ｉｍ側に接続される。
【００２７】
これにより第１の走査線Ｋ１に接続された各ＥＬ素子には、各定電流源Ｉ１〜Ｉｍからの点灯駆動電流が供給される。この時、逆バイアス電位ＶＭから走査されていないＥＬ素子の寄生容量に流れ込む電流が、各陽極線を通じて点灯対象のＥＬ素子のアノード側に過渡的に流れ込み、点灯対象のＥＬ素子の寄生容量への充電が急速に行われる。この結果、点灯対象のＥＬ素子の発光立上がりは比較的迅速に行われる。
【００２８】
次に図４は、ＥＬ素子の点灯率が低下した場合の動作例を示すものであり、図４（Ａ）および（Ｂ）はそれぞれ図３と同様にリセット期間および定電流駆動期間における各ＥＬ素子への電位の供給状態を示したものである。ただし、この図４に示す例は、第１と第２の陽極線に対応するＥＬ素子は非点灯とされ、第ｍの陽極線に対応するＥＬ素子が点灯される例を示しており、したがってこの図４に示された範囲においては、ＥＬ素子の点灯率は、３３％であると言うことができる。
【００２９】
リセット期間においては図４（Ａ）に示すように各走査線Ｋ１〜Ｋｎには逆バイアス電圧ＶＭが印加される。また第１と第２の陽極線Ａ１，Ａ２は接地電位ＧＮＤに接続されると共に、第ｍの陽極線ＡｍはＶＡＭ側に接続される。これにより、第ｍの陽極線Ａｍに接続された各ＥＬ素子の両端の電位差は無くなり、Ａｍに接続された各ＥＬ素子の寄生容量に充電されている電荷量はゼロとなる。一方、非点灯状態に制御される第１と第２の陽極線Ａ１，Ａ２に接続された各ＥＬ素子には、前記ＶＭによる逆バイアス電圧が印加され、図に示す極性で充電される。
【００３０】
続いて、定電流駆動期間においては、図４（Ｂ）に示すように走査点灯させるべき例えば第１の走査線Ｋ１は接地電位ＧＮＤに設定され、他の走査線には逆バイアス電圧ＶＭが引き続き印加される。この時、非点灯状態に制御される第１と第２の陽極線Ａ１，Ａ２は接地電位ＧＮＤに設定され、点灯制御される第ｍの陽極線Ａｍは定電流源Ｉｍ側に接続される。
【００３１】
これにより、第１の走査線Ｋ１および第ｍの陽極線Ａｍに接続された点灯対象のＥＬ素子には、定電流源Ｉｍからの点灯駆動電流が供給される。この時、逆バイアス電位ＶＭから走査されていないＥＬ素子の寄生容量に流れ込む電流が、各陽極線を通じて点灯対象のＥＬ素子のアノード側に過渡的に流れ込み、点灯対象のＥＬ素子の寄生容量への充電が急速に行われる。この結果、点灯対象のＥＬ素子の発光立上がりは比較的迅速に行われる。
【００３２】
ここで、非点灯対象の各ＥＬ素子には、前記したとおりＶＭによる逆バイアスが既に充電されていて、その状態は変わらないため、点灯対象外の陽極線Ａ１，Ａ２を介した逆バイアスＶＭからの過渡的な電流の流れ込みは殆ど無くなる。その結果、非走査状態の陰極線Ｋ２〜Ｋｎのそれぞれにおける逆バイアス電位の電位低下が殆ど無くなり、非走査状態の各陰極線Ｋ２〜Ｋｎおよび点灯対象となる陽極線Ａｍを介して走査点灯対象のＥＬ素子のアノード側に過渡的に流れ込む電流が図３（Ｂ）に示した状態に比べて増加する。これにより、走査点灯対象とされるＥＬ素子の発光初期の輝度の持ち上がりの度合いが図３に示した例よりも顕著になる。
【００３３】
図５は前記した作用により発生するシャドーイング（横クロストーク）の例を模式的に示したものである。図５に示す表示パターンにおいて、ダブルハッチングを付した“Ａ”部分がＥＬ素子の不点灯状態になされている領域を示し、“Ｂ”部分および“Ｃ”部分はＥＬ素子が点灯状態にされる領域を示している。図５に“Ａ”として示すように走査ライン毎にみて、不点灯素子の割合が多い場合（点灯率が小さい場合）には、前記した作用により“Ｂ”で示す部分は“Ｃ”で示す部分よりも明るく発光する「明るい横クロストーク」が発生する。
【００３４】
以上説明した例は、リセット動作モードにおいて、非点灯状態に制御されるＥＬ素子に対して前記したＶＭの逆バイアス電圧を印加するＶＭリセット方式に基づくものである。これに対して、リセット動作モードにおいて、非点灯状態に制御されるＥＬ素子の両端を、共にグランド電位ＧＮＤに設定するＧＮＤリセット方式による場合においては、一般的に図５に“Ｂ”で示す部分は“Ｃ”で示す部分よりも暗く発光する「暗い横クロストーク」が発生することが知られている。そして、前記したシャドーイングは、表示パネルの表示パターンや時定数などの要因により様々な状態に変化する。
【００３５】
一方、前記したシャドーイングは表示パネルの全体的な明暗を制御するディマー表示におけるディマー値の設定が低いほど、その発生度合いが顕著に発生することが知られている。これは、ディマー値を低く設定するほど、１走査期間におけるＥＬ素子の発光時間が短く、もしくは駆動電流の値が小さいために、走査されていないＥＬ素子の寄生容量を介して走査されているＥＬ素子のデータ線を介して流れ込む電荷の寄与が相対的に高くなると考えられるためである。
【００３６】
この発明は、前記したように特にＥＬ素子の走査ライン毎の点灯率が低い場合において生ずるシャドーイングの問題、かつディマー制御によるディマー値の設定が低いほど顕著に発生する前記シャドーイングの問題に着目してなされたものであり、これを実用上において問題のないレベルに低減させることができる発光表示パネルの駆動装置および駆動方法を提供することを課題とするものである。
【課題を解決するための手段】
【００３７】
前記した課題を解決するためになされたこの発明にかかる駆動装置の好ましい基本形態は、請求項１に記載のとおり、互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動装置であって、前記各々の走査線Ｎ（Ｎ＝１〜ｎ）に接続された前記発光素子のうち、発光制御させるべき発光素子の割合ＰＮを得る点灯率取得手段が具備され、前記点灯率取得手段により得られる前記割合ＰＮに基づいて、走査線Ｎに接続されている発光制御させるべき前記発光素子に対して供給する発光駆動電流値を制御するように構成される。
【００３８】
一方、前記した課題を解決するためになされたこの発明にかかる駆動方法の好ましい基本態様は、請求項１０に記載のとおり、互いに交差する複数の走査線および複数のデータ線と、前記各走査線および各データ線の交差位置において前記各走査線と各データ線との間にそれぞれ接続された発光素子を備えたパッシブマトリクス型表示パネルを発光駆動させるための駆動方法であって、前記各々の走査線Ｎ（Ｎ＝１〜ｎ）に接続された前記発光素子のうち、発光制御させるべき発光素子の割合ＰＮを得る工程と、前記工程により得られる前記割合ＰＮに基づいて、走査線Ｎに接続されている発光制御させるべき前記発光素子に対して供給する発光駆動電流値を制御することで、当該発光素子を発光駆動させる工程とを実行する点に特徴を有する。
【発明を実施するための最良の形態】
【００３９】
以下、この発明にかかる発光表示パネルの駆動装置について、図に示す実施の形態に基づいて説明する。この発明にかかる駆動装置は基本的には、すでに説明した図１に示す構成と同一の回路構成が採用され、また図２に示したように走査同期信号に同期して、リセット期間および定電流駆動期間（点灯期間）が設定される。なお、以下に説明する実施の形態においては、すでに説明した各図に示す構成要素と同一の機能を果たす部分は同一符号で示すことにする。
【００４０】
図６は、図１に示す特にデータドライバ２に対応する部分と、発光制御回路４に対応する部分について、この発明を適用した第１の実施の形態を示すものである。この図６に示す発光制御回路４に対してアナログ映像信号が供給され、このアナログ映像信号は発光制御回路４を構成する駆動制御回路１１およびアナログ／デジタル（Ａ／Ｄ）変換回路１２に供給される。
【００４１】
前記駆動制御回路１１はアナログ映像信号中における水平同期信号および垂直同期信号に基づいて、Ａ／Ｄ変換回路１２に対するクロック信号ＣＫ、および画像メモリ１３に対する書き込み信号Ｗおよび読み出し信号Ｒを生成する。また、駆動制御回路１１は前記した水平同期信号および垂直同期信号に基づいて、図１に基づいて説明した走査ドライバ３に対する走査切り換え信号を出力するようになされる。
【００４２】
前記Ａ／Ｄ変換回路１２は駆動制御回路１１から供給されるクロック信号に基づいて、入力されたアナログ信号をサンプリングし、これを１画素毎に対応した画像データに変換して画像メモリ１３に供給するように作用する。前記画像メモリ１３は、前記駆動制御回路１１からの書き込み信号ＷによってＡ／Ｄ変換回路１２から供給される各画素データを画像メモリ１３に順次書き込むように動作する。
【００４３】
前記画像メモリ１３としてフレームメモリを採用した場合においては、前記した書き込み動作により表示パネル１における一画面（ｍ列、ｎ行）分のデータの書き込みが行われる。そして一画面分のデータの書き込みが終了するとメモリ１３からは駆動制御回路１１から供給される読み出し信号Ｒによって走査線の第１行から第ｎ行へと１行分（１走査分）毎に画像データが読み出される。そして、駆動制御回路１１は１行分毎の画像データより発光制御させるべきＥＬ素子の割合（１走査毎のＥＬ素子の点灯率）ＰＮを得るように動作する。換言すれば、前記駆動制御回路１１はＥＬ素子の点灯率取得手段として機能する。
【００４４】
一方、前記駆動制御回路１１には、ディマー設定手段１５よりディマー制御データが供給されるように構成されており、これにより表示パネル１をＤ（Ｄ＝１〜ｄ）段階にディマー表示させるように構成されている。このディマー設定手段１５は手動によりディマー値を設定される場合もあり、またモバイル機器などにおいては外光を受けて自動的にディマー値を設定させるように構成される場合もある。
【００４５】
前記駆動制御回路１１は、一つの形態として前記点灯率ＰＮに対応した点灯駆動データをルックアップテーブル１４より求め、このルックアップデーブル１４より求められた点灯駆動データを図６に符号２で示すデータドライバ２に供給するように動作する。すなわち、図６に示した構成においては１走査毎に、それぞれ前記した点灯率ＰＮが求められ、この点灯率に対応した点灯駆動データが等価的に示された可変電圧源２１における電圧値として供給される。
【００４６】
そして、前記した動作は走査ドライバ３の走査に同期して走査線の第１行から第ｎ行（Ｎ＝１〜ｎ）に向かって順次実行される。要するに前記した構成によると、一走査毎におけるＥＬ素子の点灯率に応じて、ルックアップテーブル１４より読み出された点灯駆動データが、データドライバ２に供給されることになる。
【００４７】
また、前記駆動制御回路１１は、他の一つの形態として前記点灯率ＰＮと、前記ディマー制御のデータより点灯駆動データをルックアップテーブル１４より求め、このルックアップデーブル１４より求められた点灯駆動データを図６に符号２で示すデータドライバ２に供給するように動作する。これによると、一走査毎におけるＥＬ素子の点灯率と、この時に設定されているディマー制御データに応じて、ルックアップテーブル１４より読み出された点灯駆動データが、データドライバ２に供給されることになる。この場合、前記ルックアップテーブル１４はＥＬ素子の点灯率とディマー制御データとより点灯駆動データを引き出すことができるマップ状（二次元）に構築されることになる。
【００４８】
図６に示すようにデータドライバ２においては、可変電圧源２１に置き換えられた点灯駆動データが、電圧値としてオペアンプ２２の非反転入力端に供給されるように構成されている。そしてオペアンプ２２の出力端はｎチャンネル型トランジスタＱｉのゲートに接続されており、トランジスタＱｉのドレインはオペアンプ２２の反転入力端に接続されると共に、抵抗Ｒ１を介してグランドＧＮＤに接続されている。すなわち、前記オペアンプ２２とトランジスタＱｉとは電圧／電流変換手段を構成しており、前記可変電圧源２１に置き換えられた点灯駆動データ（電圧）に応じて、トランジスタＱｉに流れる電流量を可変させるように作用する。
【００４９】
一方、駆動電圧源ＶＨと前記トランジスタＱｉのソースとの間には、ｐチャンネル型トランジスタＱ０のソースとドレインが接続されている。そして前記トランジスタＱ０のゲートとドレイン間が短絡されており、それぞれのソースが前記駆動電圧源ＶＨに接続されたｐチャンネル型トランジスタＱ１〜Ｑｍの各ゲートは、前記トランジスタＱ０のゲートに共通接続されている。
【００５０】
これにより、トランジスタＱ０を制御側電流源（基準電流値）とし、各トランジスタＱ１〜Ｑｍを被制御側電流源とするカレントミラー回路を構成している。したがって、制御側電流源として機能するトランジスタＱ０のソース電流を、前記したルックアップテーブル１４より読み出された駆動電流データにより可変制御することにより、各トランジスタＱ１〜Ｑｍのドレイン電流はカレントミラー作用により可変制御されることになる。
【００５１】
被制御側電流源として機能する前記各トランジスタＱ１〜Ｑｍは、図１に示す定電流源Ｉ１〜Ｉｍに対応するものである。そして各トランジスタＱ１〜Ｑｍの各ドレインと、グランドＧＮＤ間には、ドライブスイッチとして機能する一対のアナログスイッチがそれぞれ接続されており、これらは前記した駆動制御手段１１からの指令によりオン・オフ制御される。
【００５２】
すなわち、各トランジスタＱ１〜Ｑｍのドレイン側におけるアナログスイッチＳａ１ａ〜Ｓａｍａがオンされることで、それに対応したドライブ線（陽極線）Ａ１〜Ａｍに対して発光駆動電流が供給される。また、グランドＧＮＤ側におけるアナログスイッチＳａ１ｂ〜Ｓａｍｂがオンされることで、それに対応したドライブ線（陽極線）Ａ１〜Ａｍには非点灯電位であるグランドＧＮＤ電位が供給される。
【００５３】
なお、図１に示されたように前記ドライブスイッチはＳａ１〜Ｓａｍは、例えばリセット期間において電圧源ＶＡＭからの電圧を選択するようにもなされる。このために図６においては各トランジスタＱ１〜Ｑｍに対応してそれぞれもう一つのアナログスイッチを用意されることになるが、この記載は省略している。
【００５４】
前記した図６に示す構成によると、各走査毎のＥＬ素子の点灯率ＰＮを演算し、これに基づいてルックアップテーブル１４より、点灯駆動データを取得してＥＬ素子に供給する発光駆動電流の値を制御するようになされる。したがって、前記した点灯率ＰＮに対応する点灯駆動データの関係をルックアップテーブル１４に格納しておくことにより、各走査毎の点灯率に対応して、ＥＬ素子の発光輝度の補正を加えることができる。これにより、前記したようにＥＬ素子の走査ライン毎の点灯率が異なる場合、特に点灯率が低い場合において生ずるシャドーイングの発生を低減させるように補正することが可能となる。
【００５５】
さらに図６に示した構成においては、前記点灯率ＰＮに加え、ディマー制御のデータにより点灯駆動データをルックアップテーブル１４より求めるように動作させることもできる。この場合によると、一走査毎におけるＥＬ素子の点灯率と、この時に設定されているディマー制御データに応じて、ルックアップテーブル１４より読み出された点灯駆動データが、データドライバ２に供給されることになる。
【００５６】
図７は、図６に示す構成によってなされるシャドーイングの発生を抑制させる制御形態を説明するものである。図７における（Ａ）および（Ｂ）はすでに図２に基づいて説明した走査同期信号およびこれに同期するリセット期間を示すものである。そして、図７（Ｃ）は前記リセット期間に続く定電流駆動期間におけるＥＬ素子の駆動動作を説明するものであり、縦軸はＥＬ素子の発光駆動電流値Ｉを示している。これは特許請求の範囲における請求項１および請求項１０に記載した発明による制御形態を例示するものである。
【００５７】
図７（Ｃ）に示す制御形態においては、各走査毎のＥＬ素子の点灯率ＰＮに基づいて、発光制御させるべきＥＬ素子に対して供給する発光駆動電流値を制御するようになされる。これは前記した「明るいシャドーイング」もしくは「暗いシャドーイング」の発生度合いに応じて予めルックアップテーブル１４に格納された点灯駆動データに基づいて“Ｕｐ”として示すように発光輝度を上昇、または“Ｄｎ”として示すように発光輝度を低下させる動作が実行される。これにより、前記したように特に低い点灯率の状況において顕著に発生し得るジャドーイングを効果的に抑制させることができる。
【００５８】
また図７（Ｄ１）および（Ｄ２）は、同じく図６に示した構成によってなされる制御形態を説明するものであり、（Ｄ１）は、高ディマー時における態様を示し、（Ｄ２）は低ディマー時における態様を示している。そして、（Ｄ１）および（Ｄ２）においては前記した点灯率ＰＮに加えて、ディマー制御のデータも用いて、シャドーイングの発生度合いを低減させる制御態様を示している。なお、これは特許請求の範囲における請求項４および請求項１３に記載した発明による制御形態を例示するものである。
【００５９】
図７（Ｄ１）に示すように、高ディマー時においては前記したようにシャドーイングは発生しにくいので、すでに説明したルックアップテーブル１４より求められる点灯駆動データは、格別な補正を施すことなく定電流駆動を実行するようになされる。一方、低ディマー時においては各走査毎のＥＬ素子の点灯率ＰＮとディマー制御データとに基づいて、発光制御させるべきＥＬ素子に対して供給する発光駆動電流値を制御するようになされる。
【００６０】
この場合、図７（Ｄ２）に示すように、予めルックアップテーブル１４に格納された点灯駆動データに基づいて“Ｕｐ”として示すように、または“Ｄｎ”として示すように、本来の発光輝度よりもその輝度を上昇、もしくは低下させる動作が実行される。これにより、前記したように特に低ディマー時におけるシャドーイングの発生を効果的に抑制させることができる。
【００６１】
図８は、図１に示す特にデータドライバ２に対応する部分と、発光制御回路４に対応する部分について、この発明を適用した第２の実施の形態を示すものである。なお、図８においては、すでに説明した図６に示す構成要素と同一の機能を果たす部分は同一符号で示しており、したがってその説明は省略する。
【００６２】
この図８に示す構成においては、可変電圧源２１に置き換えられたルックアップテーブル１４より読み出された点灯駆動データ、もしくは予め設定されている制御電圧Ｖｃｏｎとを択一的に選択するスイッチＳＣが備えられ、このスイッチＳＣにより輝度補正期間および通常定電流期間が選択されるように構成されている。
【００６３】
このスイッチＳＣは駆動制御回路１１からの指令により切り換え動作を実行するようになされており、すでに説明した図７に示す定電流駆動期間を、輝度補正期間と通常定電流期間の二つに別けて、ＥＬ素子の発光駆動動作を実行するように作用する。なお、前記輝度補正期間においてはスイッチＳＣは可変電圧源２１を選択し、通常定電流期間においてはスイッチＳＣは制御電圧Ｖｃｏｎを選択するようになされる。
【００６４】
図９は、図８に示す構成によってなされるシャドーイングの発生を抑制させる制御形態を説明するものである。なお図９における（Ａ）および（Ｂ）はすでに図２に基づいて説明した走査同期信号およびこれに同期するリセット期間を示すものである。そして、図９（Ｃ）においては前記リセット期間に続いて、輝度補正期間および通常定電流期間が設定され、これら輝度補正期間および通常定電流期間の合計の期間においてＥＬ素子を発光駆動させるようになされる。なおこの図９（Ｃ）は特許請求の範囲における請求項２および請求項１１に記載した発明による制御形態を例示するものである。
【００６５】
図９（Ｃ）に示す輝度補正期間においては、各走査毎のＥＬ素子の点灯率ＰＮに基づいて、ルックアップテーブル１４に格納された点灯駆動データに基づいて、発光制御させるべきＥＬ素子に対して発光駆動電流を供給する。すなわち図８に示すスイッチＳＣは可変電圧源２１を選択した状態になされる。そして、図９（Ｃ）に示す制御形態においては、輝度補正期間の途中において、発光駆動電流の供給を遮断するように制御される。
【００６６】
すなわち、輝度補正期間において発光駆動電流を供給する時間を制御するようになされる。これはルックアップテーブル１４に格納された点灯駆動データに基づいて、前記したアナログスイッチＳａ１ａ〜Ｓａｍａ，Ｓａ１ｂ〜Ｓａｍｂを切り換え動作させることによってなされる。その後、通常定電流期間に移り、前記スイッチＳＣは制御電圧Ｖｃｏｎを選択する。したがって、通常定電流期間においては制御電圧Ｖｃｏｎに基づく定電流が発光制御させるべきＥＬ素子に対して発光駆動電流として供給される。
【００６７】
したがって、図９（Ｃ）に示した制御形態によると、輝度補正期間において設定される発光駆動電流の供給時間に基づいて、ＥＬ素子の発光輝度が補正されることになり、これにより前記したシャドーイングの発生を効果的に抑制させることができる。
【００６８】
図９（Ｄ）は、同じく図８に示した構成によってなされる制御形態を説明するものであり、これは特許請求の範囲における請求項３および請求項１２に記載した発明による制御形態を例示するものである。すなわち、各走査毎のＥＬ素子の点灯率ＰＮに基づいて、輝度補正期間においては、発光制御させるべきＥＬ素子に供給する発光駆動電流の供給期間を制御するようになされる。これは、図９（Ｃ）に示す制御形態度と同様にルックアップテーブル１４に格納された点灯駆動データに基づいて、前記したアナログスイッチＳａ１ａ〜Ｓａｍａ，Ｓａ１ｂ〜Ｓａｍｂを切り換え動作させることによってなされる。
【００６９】
その後、通常定電流期間に移り、この通常定電流期間においてはＥＬ素子の発光駆動電流値を制御するようになされる。例えばシャドーイングの発生を抑制させるために通常定電流期間における発光駆動電流を図７（Ｄ）に示すように低下させる場合には、図８に示すＶｃｏｎの電位を低下させる制御が実行される。したがって、図９（Ｄ）に示した制御形態によると、輝度補正期間において設定される発光駆動電流の供給時間に基づいて、および通常定電流期間において設定される発光駆動電流値に基づいて、ＥＬ素子の全体的な発光輝度が補正されることになり、これにより前記したシャドーイングの発生を効果的に抑制させることができる。
【００７０】
図１０は、同じく図８に示した構成によってなされる他の制御形態を説明するものである。なお、図１０における（Ａ）および（Ｂ）はすでに図２に基づいて説明した走査同期信号およびこれに同期するリセット期間を示すものである。そして、図１０（Ｃ１）は高ディマー時における態様を示し、（Ｃ２）は低ディマー時における態様を示している。そして、（Ｃ１）および（Ｃ２）においては前記した点灯率ＰＮに加えて、ディマー制御のデータも用いて、シャドーイングの発生度合いを低減させる制御態様を示している。なお、これは特許請求の範囲における請求項５および請求項１４に記載した発明による制御形態を例示するものである。
【００７１】
図１０（Ｃ１）に示すように、高ディマー時においては前記したようにシャドーイングは発生しにくいので、通常定電流期間において図８に示すＶｃｏｎの電位を利用して、発光させるべきＥＬ素子に対して定電流の駆動電流を供給するようになされる。
【００７２】
一方、低ディマー時においては図１０（Ｃ２）に示すように、輝度補正期間および通常定電流期間において、発光制御させるべきＥＬ素子に対する発光駆動電流を供給する期間を制御するようになされる。これは前記したようにアナログスイッチＳａ１ａ〜Ｓａｍａ，Ｓａ１ｂ〜Ｓａｍｂを切り換え動作させることによってなされる。したがって、図１０（Ｃ１）および（Ｃ２）に示した制御形態によると、輝度補正期間および通常定電流期間において発光駆動電流の供給時間を制御することでＥＬ素子の全体的な発光輝度が補正されることになり、これにより前記したシャドーイングの発生を効果的に抑制させることができる。
【００７３】
図１１は、同じく図８に示した構成によってなされる他の制御形態を説明するものである。なお、図１１における（Ａ）および（Ｂ）はすでに図２に基づいて説明した走査同期信号およびこれに同期するリセット期間を示すものである。そして、図１１（Ｃ１）は高ディマー時における態様を示し、（Ｃ２）は低ディマー時における態様を示している。そして、（Ｃ１）および（Ｃ２）においては前記した点灯率ＰＮに加えて、ディマー制御のデータも用いて、シャドーイングの発生度合いを低減させる制御態様を示している。なお、これは特許請求の範囲における請求項６および請求項１５に記載した発明による制御形態を例示するものである。
【００７４】
図１１（Ｃ１）に示すように、高ディマー時においては前記したようにシャドーイングは発生しにくいので、通常定電流期間において図８に示すＶｃｏｎの電位を利用して、発光させるべきＥＬ素子に対して定電流の駆動電流を供給するようになされる。
【００７５】
一方、低ディマー時においては図１１（Ｃ２）に示すように、輝度補正期間および通常定電流期間において、発光制御させるべきＥＬ素子に対する発光駆動電流を供給する形態が変化する。すなわち、輝度補正期間においては、前記した点灯率ＰＮおよびディマー制御データに基づいて発光駆動電流を供給する期間が制御される。これはすでに説明したようにアナログスイッチＳａ１ａ〜Ｓａｍａ，Ｓａ１ｂ〜Ｓａｍｂを切り換え動作させることによってなされる。
【００７６】
また、通常定電流期間においては、前記した点灯率ＰＮおよびディマー制御データに基づいて発光駆動電流値を制御するようになされる。例えばシャドーイングの発生を抑制させるために通常定電流期間における発光駆動電流を図１１（Ｃ２）に示すように低下させる場合には、図８に示すＶｃｏｎの電位を低下させる制御が実行される。
【００７７】
したがって、図１１に示した制御形態によると、輝度補正期間において設定される発光駆動電流の供給時間に基づいて、および通常定電流期間において設定される発光駆動電流値に基づいて、ＥＬ素子の全体的な発光輝度が補正されることになり、これにより前記したシャドーイングの発生を効果的に抑制させることができる。
【００７８】
図１２は、同じく図８に示した構成によってなされるさらに他の制御形態を説明するものである。なお、図１２における（Ａ）および（Ｂ）はすでに図２に基づいて説明した走査同期信号およびこれに同期するリセット期間を示すものである。そして、図１２（Ｃ１）は高ディマー時における態様を示し、（Ｃ２）は低ディマー時における態様を示している。そして、（Ｃ１）および（Ｃ２）においては前記した点灯率ＰＮに加えて、ディマー制御のデータも用いて、シャドーイングの発生度合いを低減させる制御態様を示している。なお、この図１２（Ｃ１）および（Ｃ２）も、特許請求の範囲における請求項６および請求項１５に記載した発明による制御形態を例示するものである。
【００７９】
図１２（Ｃ１）に示すように、高ディマー時においては前記したようにシャドーイングは発生しにくいので、通常定電流期間において図８に示すＶｃｏｎの電位を利用して、発光させるべきＥＬ素子に対して定電流の駆動電流を供給するようになされる。
【００８０】
一方、低ディマー時においては図１２（Ｃ２）に示すように、輝度補正期間および通常定電流期間において、発光制御させるべきＥＬ素子に対する発光駆動電流を供給する形態が変化する。すなわち、輝度補正期間においては、前記した点灯率ＰＮおよびディマー制御データに基づいて発光制御させるべきＥＬ素子に対して供給する発光駆動電流値を制御するようになされる。この場合、輝度補正期間においては、予めルックアップテーブル１４に格納された点灯駆動データに基づいて“Ｕｐ”として示すように、または“Ｄｎ”として示すように、発光駆動電流値を制御することでＥＬ素子の輝度を上昇、もしくは低下させる動作が実行される。
【００８１】
また、通常定電流期間においては発光制御させるべきＥＬ素子に対する発光駆動電流を供給する期間を制御するようになされる。これは前記したようにアナログスイッチＳａ１ａ〜Ｓａｍａ，Ｓａ１ｂ〜Ｓａｍｂを切り換え動作させることによってなされる。したがって、図１２（Ｃ１）および（Ｃ２）に示した制御形態によると、輝度補正期間において発光駆動電流値が制御され、通常定電流期間において発光駆動電流の供給時間が制御されることでＥＬ素子の全体的な発光輝度が補正されることになり、これにより前記したシャドーイングの発生を効果的に抑制させることができる。
【００８２】
なお、以上説明した実施の形態においては、表示パネルに配列される発光素子として有機ＥＬ素子を用いた例を示しているが、前記発光素子として容量性の他の素子を用いた場合においても同様の作用効果を得ることができる。また、前記した実施の形態においてはＥＬ素子の点灯率およびディマー制御データに基づいて、ルックアップテーブルより点灯駆動データを読み出すように構成しているが、この点灯駆動データは論理演算により求めるように構成されていてもよい。
【図面の簡単な説明】
【００８３】
【図１】従来のパッシブマトリクス型表示パネルとその駆動回路の一例を示した回路構成図である。
【図２】図１に示した表示パネルにおける点灯駆動動作を説明するタイミングチャートである。
【図３】図２に示すタイミングチャートにしたがう発光素子の点灯率が高い場合の動作を説明する回路構成図である。
【図４】図２に示すタイミングチャートにしたがう発光素子の点灯率が低い場合の動作を説明する回路構成図である。
【図５】シャドーイングが発生する例を示した模式図である。
【図６】この発明にかかる駆動装置における第１の実施の形態を示した回路構成図である。
【図７】図６に示す回路構成によってなされる第１および第２の点灯駆動動作を説明するタイミング図である。
【図８】この発明にかかる駆動装置における第２の実施の形態を示した回路構成図である。
【図９】図８に示す回路構成によってなされる第１および第２の点灯駆動動作を説明するタイミング図である。
【図１０】図８に示す回路構成によってなされる第３の点灯駆動動作を説明するタイミング図である。
【図１１】図８に示す回路構成によってなされる第４の点灯駆動動作を説明するタイミング図である。
【図１２】図８に示す回路構成によってなされる第５の点灯駆動動作を説明するタイミング図である。
【符号の説明】
【００８４】
１              発光表示パネル
２              データドライバ
３              走査ドライバ
４              発光制御回路
１１            駆動制御回路
１２            Ａ／Ｄ変換回路
１３            画像メモリ
１４            ルックアップテーブル
１５            ディマー設定手段
２１            可変電圧源
２２            オペアンプ
Ａ１〜Ａｍ      データ線（陽極線）
Ｅ１１〜Ｅｍｎ  発光素子（有機ＥＬ素子）
Ｉ１〜Ｉｍ      点灯駆動電源（定電流源）
Ｋ１〜Ｋｎ      走査線（陰極線）
Ｓａ１〜Ｓａｍ  ドライブスイッチ
Ｓｋ１〜Ｓｋｎ  走査スイッチ
ＶＡＭ          電圧源
ＶＨ            駆動電圧源
ＶＭ            逆バイアス電圧源
【図１】
2006189645.tif 000003
【図２】
2006189645.tif 000004
【図３】
2006189645.tif 000005
【図４】
2006189645.tif 000006
【図５】
2006189645.tif 000007
【図６】
2006189645.tif 000008
【図７】
2006189645.tif 000009
【図８】
2006189645.tif 000010
【図９】
2006189645.tif 000011
【図１０】
2006189645.tif 000012
【図１１】
2006189645.tif 000013
【図１２】
2006189645.tif 000014